(57)【要約】【課題】  日々起こった出来事の記録に関連付けて写真、チケット、カード類を保管することができるフォトアルバムを提供する。【解決手段】  冊子製本したフォトアルバム２であって、表面に粘着層６を備えた台紙４であって筆記特性を有する台紙４と、粘着層６を介して台紙４の表面に剥離可能に貼着される透明フィルム８と、からなり、台紙４には見開きで少なくとも片側に記入スペースを備えたカレンダー枠１０が印刷されている、フォトアルバム２、からなる。【選択図】  図２
0003186944.tif 000002
【実用新案登録請求の範囲】
【請求項１】
冊子製本したフォトアルバムであって、
表面に粘着層を備えた台紙であって筆記特性を有する台紙と、
前記粘着層を介して前記台紙の表面に剥離可能に貼着される透明フィルムと、からなり、
前記台紙には見開きで少なくとも片側に記入スペースを備えたカレンダー枠が印刷されている、フォトアルバム。
【請求項２】
前記カレンダー枠は前記台紙の見開きで左頁のみに記載されている請求項１に記載のフォトアルバム。
【請求項３】
前記カレンダー枠は５行７列のマス目からなる請求項１又は２に記載のフォトアルバム。
【請求項４】
前記カレンダー枠は７列の枠を有する請求項１又は２に記載のフォトアルバム。
【請求項５】
前記カレンダー枠は外枠のみである請求項１又は２に記載のフォトアルバム。
【請求項６】
前記カレンダー枠は最上部に行方向に沿って曜日が記載されている請求項１〜４のいずれか１項に記載のフォトアルバム。
【考案の詳細な説明】
【技術分野】
【０００１】
本考案は、写真、チケット、カード類を台紙と透明フィルムとの間に挟んで格納するフォトアルバムに関する。
【背景技術】
【０００２】
従来、冊子製本したフォトアルバムで、表面に粘着層を備えた台紙と、粘着層を介して台紙の表面に剥離可能に貼着される透明フィルムと、からなるフォトアルバムが存在する。
【０００３】
このフォトアルバムは、透明フィルムをめくって台紙と透明フィルムとの間に写真、チケット、カード類を挟んで収納するものであるが、収納した写真、チケット、カード類がいつ、どこのものであったかが後でわかりづらかった。写真、チケット、カード類を収納した近傍に短くコメントを記載することもできるが、断片的な記載になりやすく、その前後の時期に具体的に何が起こっていたのか、どのような気持ちで過ごしていたのかを後でたどって確認することは困難であった。
【０００４】
特許文献１には、アルバム部とカレンダー部とを一枚のシートの裏表又は夫々別のシートに構成し、ルーズリーフ取付具により一体に構成した写真アルバムカレンダーが開示されている。しかし、表面に粘着層を備えた台紙を使用したものではなく、台紙の表面に透明フィルムを剥離可能に貼着させたものでもない。
【０００５】
特許文献２には、左頁に百年カレンダー、右頁に写真添付欄及びメモ欄を設け、両頁とも透明シートでカバーしたアルバムが開示されている。しかし、台紙に粘着層を備えることは開示されておらず、カレンダーには記入できるスペースがない。
【先行技術文献】
【特許文献】
【０００６】
【特許文献１】実開昭６０−９６０６０号公報
【特許文献２】実用新案登録第３１５８０８５号公報
【考案の概要】
【考案が解決しようとする課題】
【０００７】
本考案は、このような事情に鑑みてなされたもので、日々起こった出来事の記録に関連付けて写真、チケット、カード類を保管することができるフォトアルバムを提供することを目的とする。
【課題を解決するための手段】
【０００８】
本考案は、前記目的を達成するために、冊子製本したフォトアルバムであって、表面に粘着層を備えた台紙であって筆記特性を有する台紙と、粘着層を介して台紙の表面に剥離可能に貼着される透明フィルムと、からなり、台紙には見開きで少なくとも片側に記入スペースを備えたカレンダー枠が印刷されている、フォトアルバム、からなる。
【０００９】
本考案によれば、透明フィルムをめくってカレンダー枠の記入スペースに日々の起きた出来事や思い出を筆記具で記入することができると共に写真やチケット、カード類を台紙と透明フィルムとの間に挟んで保管することができる。
【００１０】
本考案は、カレンダー枠は台紙の見開きで左頁のみに記載されていることができる。
【００１１】
これによれば、左頁に日々の出来事を記入し、右頁には写真、チケット、カード類を台紙と透明フィルムとの間に挟んで保管することができる。
【００１２】
本考案は、カレンダー枠は５行７列のマス目からなることができる。
【００１３】
これによれば、カレンダー枠に１ヶ月分のマス目を備えることができる。
【００１４】
本考案は、カレンダー枠は７列の枠を有することができる。
【００１５】
これによれば、横方向に１週間分の記録スペースをもつことができる。
【００１６】
本考案は、カレンダー枠は外枠のみであることができる。
【００１７】
これによれば、１日分の記録スペースをもつことができる。また、特定のテーマを決めてそのテーマに沿って使用することもできる。
【００１８】
本考案は、カレンダー枠は最上部に行方向に沿って曜日が記載されていることができる。
【００１９】
これによれば、使用者は曜日を見ながらカレンダー枠に記入することができる。
【考案の効果】
【００２０】
本考案によれば、カレンダー枠に筆記できるので、フォトアルバムに日々起こった出来事の記録に関連付けて写真、チケット、カード類を保管することができる。
【図面の簡単な説明】
【００２１】
【図１】本考案のフォトアルバムの外観斜視図
【図２】本考案のフォトアルバムを見開きにして透明フィルムを剥離させた状態の図
【図３】本考案のフォトアルバムを１ヶ月分（７月）の記録として実際に使用した例を示す図
【図４】本考案のフォトアルバムを１ヶ月分（８月）の記録として実際に使用した例を示す図
【図５】本考案のフォトアルバムを１週間分の記録として実際に使用した例を示す図
【図６】本考案のフォトアルバムを１日の流れの記録として実際に使用した例を示す図
【図７】本考案のフォトアルバムを特定のテーマを決めて使用した例を示す図
【考案を実施するための形態】
【００２２】
以下、添付図面に従って本考案の第１の実施形態について詳説する。
【００２３】
図１は本考案のフォトアルバム２の外観斜視図であり、図２はフォトアルバムを見開きにして透明フィルムを剥離させた状態の図である。
【００２４】
フォトアルバム２は冊子製本したものであり、複数の台紙４を綴じた構造になっている。台紙４のおもて面及び裏面（本願では「おもて面」も「裏面」も“表面”という）には見開き中央寄り１ｃｍの縦しろ１２を除いて粘着層６が形成されている。台紙４の表面には粘着層６を介して透明フィルム８が剥離可能に貼着されている。粘着層６の材質は、通常の、剥離可能な透明フィルム付きのフォトアルバムに使用するものを用いることができる。粘着層６は、貼りつけたものを剥離可能にするために弱粘着になっている。透明フィルム８は中央寄り端部が縦しろ１２にかぶさる位置に配設されており、縦しろ１２にかぶさっている部分の透明フィルム８をめくることにより、透明フィルム８を台紙４から剥離することができる。
【００２５】
台紙４は筆記特性を有する。筆記特性とは、鉛筆、ボールペン、フェルトペンの少なくとも一つで筆記可能な特性を意味する。
【００２６】
台紙４の見開きで左頁には５行７列のマス目からなるカレンダー枠１０が印刷されている。カレンダー枠１０の最上部には行方向に沿って曜日が印刷されている。
【００２７】
第１の実施の形態の作用を図３、図４を用いて説明する。図３はカレンダー枠１０に７月分、図４はカレンダー枠１０に８月分を記入した例を示す。
【００２８】
使用者は透明フィルム８をめくって台紙４の左頁のカレンダー枠１０にその日に起こった出来事や思い出を例えばフェルトペンで書き込む。書き込む内容は、日時の情報、そのときの気持ちの変化、出来事の経過など、何でもよい。さらに、記念の写真、チケット、カードなどを左頁もしくは右頁又はその両頁において台紙４と透明フィルム８との間に挟むことができる。
【００２９】
これにより、フォトアルバム２に日々起こった出来事の記録や感想と写真、チケット、カード類とを関連付けて記録、保管することができ、後日見返したときにそのときの情景を鮮やかに思い出すことができる。
【００３０】
なお、カレンダー枠１０は５行７列（すなわち、１ヶ月分）のマス目でなくてもよい。また、５行７列のマス目を上下に１つずつ（すなわち、２ヶ月分）設けてもよい。カレンダー枠１０は左頁ではなく右頁に設けてもよく、さらに両頁に設けてもよい。
【００３１】
本考案の第２の実施の形態を説明する。第１の実施の形態と同じ部材には、同一の番号を付してその説明を省略する。
【００３２】
図５は、フォトアルバム２の左頁の台紙４に７列の枠が印刷されたものを示している。これは、１週間分の記録ができるようにしたものである。枠の最上部には行方向（横方向）に沿って曜日の表示が印刷されている。
【００３３】
本考案の第３の実施の形態を説明する。第１の実施の形態と同じ部材には、同一の番号を付してその説明を省略する。
【００３４】
図６は、フォトアルバム２の左頁の台紙４に外枠のみが印刷されて１日における流れを記録したものを示している。これは、１日における記録ができるようにしたものである。１日の記録は、時系列でできるようにしてもよい。また、図７に示すように特定のテーマを決めて時系列に推移していく様子を記録していく使用方法もある。特定のテーマを決めて時系列に推移していく様子は図６のように１日における流れとすることもできる。
【符号の説明】
【００３５】
２…フォトアルバム、４…台紙、６…粘着層、８…透明フィルム、１０…カレンダー枠、１２…縦しろ
【図１】
0003186944.tif 000003
【図２】
0003186944.tif 000004
【図３】
0003186944.tif 000005
【図４】
0003186944.tif 000006
【図５】
0003186944.tif 000007
【図６】
0003186944.tif 000008
【図７】
0003186944.tif 000009